(57)【要約】【課題】少なくとも一部を開いたとき、その端部に箱棒および蝶棒が露出するタイプのスライドファスナが取り付けられた衣服、肌着その他の縫製品について、洗濯時に箱棒の突起部が他の洗濯物等を損傷するのを防ぐ。【解決手段】箱棒３４を有する側のファスナチェーン３１の端部に、ファスナチェーン３１が開いた状態でも常時、箱棒３４の表裏両面を覆うカバー部材５が取り付けられる。カバー部材５は、一枚の布体またはシート片をファスナチェーン３１の延長先で折り返し、その折返しライン５１に交差する片側の縁部を、箱棒３４を有する側のファスナチェーン３１と当該縫製品本体との縫合ラインに沿って、当該縫製品の表裏両面に縫合することにおり縫製品本体に取り付けられる。【選択図】図３
2020028320.tif 000002
【特許請求の範囲】
【請求項１】
一対のファスナチェーンがスライダによって開閉され、少なくとも一方の端部を開くと、開かれたファスナチェーンの端部に箱棒が露出するスライドファスナを備えた縫製品において、
前記箱棒を有する側のファスナチェーンの端部に、前記ファスナチェーンが開いた状態で前記箱棒の表裏両面を覆うカバー部材が取り付けられた
ことを特徴とするスライドファスナ付き縫製品。
【請求項２】
請求項１に記載されたスライドファスナ付き縫製品において、
前記カバー部材は、一枚の布体またはシート片を前記ファスナチェーンの延長先で折り返し、その折返しラインに交差する片側の縁部を、前記箱棒を有する側のファスナチェーンと当該縫製品本体との縫合ラインに沿って、当該縫製品の表裏両面に縫合してなる
ことを特徴とするスライドファスナ付き縫製品。
【請求項３】
請求項２に記載されたスライドファスナ付き縫製品において、
前記カバー部材の折返しラインに近接する部分は、当該縫製品本体の端部よりも前記ファスナチェーンの延長先へはみ出し、そのはみ出し部分は当該縫製品本体に縫合されていない縫い残し部となされている
ことを特徴とするスライドファスナ付き縫製品。
【請求項４】
請求項１、２または３に記載されたスライドファスナ付き縫製品において、
前記カバー部材の表側部分に、前記スライドファスナの閉止端部より広い幅のフラップが延設され、前記フラップが当該縫製品本体の開閉箇所をまたいで相手側部分まで張り出し、前記相手側部分の表面にロック付きの係着手段を介して着脱自在に留め付けられる
ことを特徴とするスライドファスナ付き縫製品。
【発明の詳細な説明】
【技術分野】
【０００１】
本願が開示する発明は、スライドファスナが取り付けられた衣服その他の縫製品に関する。
【背景技術】
【０００２】
介護・医療施設では、疾病、障害、高齢等によって寝たきりになる人を介護するための衣服として、例えば特許文献１〜４等に開示されているような、つなぎ寝巻タイプの介護用衣服が利用されている。その種の介護用衣服の概略的な構成を図１に示す。
【０００３】
図示の介護用衣服１は、２本のスライドファスナ２、２が、襟元部１１から前身頃（左身頃部１４Ｌと右身頃部１４Ｒとの間）を経由して右脚の裾部１２に至る正面開閉箇所と、右脚の裾部１２から股間を経て左脚の裾部１３に至る内股開閉箇所と、に取り付けられており、それらの開閉箇所を開くことで、着替えや診察、排泄処理等を容易に行えるように構成されている。これらに加えて、背中部分や、脇下から袖口に至る部分にスライドファスナを取り付けたものもある。さらに、それらのスライドファスナ２の閉止端部に、該端部の表側を覆うフラップを取り付け、そのフラップをロック付きのスナップボタンやストラップで衣服に留め付けることにより、被介護者自身による不適切な開閉操作を防ぐようにしたものもある（特許文献１、２、３）。また、スライドファスナ２の閉止端部の裏側に柔軟な緩衝部材を取り付けて、該端部に取り付けられる金属部品等が身体に接触する際の圧迫感や痛感を緩和したものも開示されている（特許文献４）。
【０００４】
ところで、介護・医療施設等で日々、大量に使用される介護用衣服は通常、洗濯サービス業者によって定期的に回収され、まとめて洗濯されて、繰り返し使用される。かかる洗濯作業は、強い回転力を有する大型の洗濯乾燥機を用いて行われるため、その激しい攪拌によってスライドファスナを開閉するスライダが破損したり、スライダに糸屑が絡みついて動かなくなったりすることがある。
【０００５】
そこで、本出願人は、洗濯に際してあらかじめスライドファスナからスライダを取り外しておくことができ、また、スライダが故障した場合でもスライダを容易に交換できるようにしたスライドファスナ付きの介護用衣服を開発し、実用化している。特許文献５に開示された、そのスライドファスナの概略的な構成を図２に示す。
【０００６】
このスライドファスナ２０は、両端部いずれからでも開閉し得る、いわゆる逆開ダブルファスナである。左右一対のファスナチェーン３１（３１Ｌ、３１Ｒ）に、２個のスライダ４（４Ａ、４Ｂ）が、左右のエレメント列３２（３２Ｌ、３２Ｒ）を噛合させる側を互いに突き合わせた「尻合せ」の向きで、介護用衣服１の開閉箇所（例示の部位では、左身頃部１４Ｌと右身頃部１４Ｒとの間）に取り付けられている。２個のスライダ４を互いに離反させ、それぞれを一端部及び他端部に移動させると全閉になる。開く場合には、いずれか一方のスライダ４を中央側へと移動させる。両方のスライダ４をいずれか一方の端部まで寄せると全開になる。
【０００７】
エレメント列３２の端部には、スライダ４の胴部４１に形成されたレール（エレメント列を噛合・分離させるＹ字状の空洞部分）を通り抜ける形状の蝶棒３３と、レールを通り抜けない形状の箱棒３４とが相対するように取り付けられている。そして、図２に示した形態では、スライドファスナ２０の両端部において、蝶棒３３と箱棒３４の位置関係が互いに逆配置になっている。したがって、両方のスライダ４をいずれか一方の端部まで寄せた全開状態で、当該端部の蝶棒３３を２個のスライダ４の胴部４１から抜くと、左右のファスナチェーン３１が完全に分離する。そこからさらに、両方のスライダ４を反対側の端部まで移動させると、当該反対側の端部の蝶棒３３がスライダ４の胴部４１を通過して、スライダ４がファスナチェーン３１から分離される。
【先行技術文献】
【特許文献】
【０００８】
【特許文献１】特開平７−３００７０６号公報
【特許文献２】特開１０−２０４７０９号公報
【特許文献３】登録実用新案第３２０２０３２号公報
【特許文献４】実開平６−５６２２号公報
【特許文献５】特許第３０５６２１９号公報
【発明の概要】
【発明が解決しようとする課題】
【０００９】
前述したような逆開式のスライドファスナ２０は、スライダ４を中央側に移動してファスナチェーン３１を開くと、開かれた各ファスナチェーン３１の端部に蝶棒３３および箱棒３４がそれぞれ露出する、図２に示すように、蝶棒３３は凹凸の小さい形状をなしているが、箱棒３４には、その先端部近傍にスライダ４の胴部４１を通過し得ない大きさの突起部３５が形成されている。この突起部３５は、１〜２ｍｍ程度の大きさながら、かなり角張っているものが多い。そのため、このようなスライドファスナ２０を開いた状態で介護用衣服１を洗濯すると、洗濯乾燥機内での撹拌中に、箱棒３４の突起部３５が介護用衣服１その他の洗濯物や洗濯槽を損傷してしまうおそれがある。
【００１０】
本発明はかかる事象に着目して想起されたものであり、逆開ダブルファスナ付きの介護用衣服に限らず、少なくとも一方の端部を開いたとき、その開かれた端部に蝶棒および箱棒が露出するタイプのスライドファスナが取り付けられた衣服や肌着等の衣類全般、および同様のスライドファスナが取り付けられた寝装品、バッグ類、日用品等を含む様々な縫製品について、特に箱棒に形成された突起部が洗濯時に他の洗濯物等を損傷するのを防止することを解決課題とする。
【課題を解決するための手段】
【００１１】
前述の課題を解決するために本願が開示する発明が採用した構成は、一対のファスナチェーンがスライダによって開閉され、少なくとも一方の端部を開くと、開かれたファスナチェーンの端部に箱棒が露出するスライドファスナを備えた縫製品において、前記箱棒を有する側のファスナチェーンの端部に、前記ファスナチェーンが開いた状態で前記箱棒の表裏両面を覆うカバー部材が取り付けられたことを特徴とする。
【００１２】
さらに、前記スライドファスナ付き縫製品において、前記カバー部材は、一枚の布体またはシート片を前記ファスナチェーンの延長先で折り返し、その折返しラインに交差する片側の縁部を、前記箱棒を有する側のファスナチェーンと当該縫製品本体との縫合ラインに沿って、当該縫製品の表裏両面に縫合してなることを特徴とする。
【００１３】
さらに、前記スライドファスナ付き縫製品において、前記カバー部材の折返しラインに近接する部分は、当該縫製品本体の端部よりも前記ファスナチェーンの延長先へはみ出し、そのはみ出し部分は当該縫製品本体に縫合されていない縫い残し部となされていることを特徴とする。
【００１４】
さらに、前記スライドファスナ付き縫製品において、前記カバー部材の表側部分に、前記スライドファスナの閉止端部より広い幅のフラップが延設され、前記フラップが当該縫製品本体の開閉箇所をまたいで相手側部分まで張り出し、前記相手側部分の表面にロック付きの係着手段を介して着脱自在に留め付けられることを特徴とする。
【発明の効果】
【００１５】
前述のように構成されるスライドファスナ付き縫製品は、箱棒を有する側のファスナチェーンの端部に、箱棒の表裏両面を覆うカバー部材が取り付けられているので、箱棒の先端部近傍に形成されている突起部は、スライドファスナの開閉状態にかかわらず常時、このカバー部材によって包囲される。したがって、スライドファスナを開いたまま洗濯しても、箱棒に形成された突起部が洗濯物や洗濯槽等を損傷するのを防ぐことができる。
【００１６】
さらに、そのカバー部材は、一枚の布片をファスナチェーンの延長先で折り返し、その折返しラインに交差する片側の縁部を、箱棒を有する側のファスナチェーンと当該縫製品本体との縫合ラインに沿って当該縫製品本体の表裏両面に縫合することで、相手側のファスナチェーンの蝶棒に向かって常時、開口した袋状になる。このようなカバー部材であれば、スライダに対する相手側の蝶棒の挿脱や、スライダの着脱・交換等の妨げにもならず、良好な使い勝手が担保される。
【図面の簡単な説明】
【００１７】
【図１】スライドファスナによって開閉される、つなぎ寝巻タイプの介護用衣服の概略的な構成を示す正面図である。
【図２】特許文献４に開示された逆開ダブルファスナの構成を示す正面図である。
【図３】本願が開示する発明の一実施形態に係る介護用衣服の要部拡大図であって、スライドファスナの端部に取り付けられたカバー部材の表側および裏側の形態を示す図である。
【図４】図３に示すカバー部材が取り付けられたスライドファスナを閉じた状態を示す要部拡大図である。
【図５】カバー部材の他の実施形態を示す要部拡大図である。
【図６】図５に示すカバー部材が取り付けられたスライドファスナを閉じた状態を示す要部拡大図である。
【発明を実施するための形態】
【００１８】
以下、本願が開示する発明の実施形態について、図面を参照しつつ説明する。なお、以下に説明する実施形態は、図１に示した介護用衣服１への適用を想定したものであるため、図１に示した介護用衣服１、および図２に示したスライドファスナ２０の構成要素と実質的に同一の構成要素には共通の符号を付して、それらに関する重複説明は省略する。
【００１９】
図３〜図４は、本願が開示する発明を、介護用衣服１の襟元部１１（図１中の二重丸囲み部分）に適用した例を示している。この襟元部１１は、図２に示した逆開式のスライドファスナ２０によって開閉される。スライドファスナ２０は、ファスナテープ(基布)３６の片側縁にエレメント列３２（３２Ｌ、３２Ｒ）が設けられた左右一対のファスナチェーン３１（３１Ｌ、３１Ｒ）と、互いのエレメント列３２を対置させた両ファスナチェーン３１の間に装着されて両エレメント列３２を噛合・分離させるスライダ４（４Ａ、４Ｂ）と、を具備する。ファスナテープ３６の他側縁（エレメント列３２の反対側）は、介護用衣服１本体の左身頃部１４Ｌおよび右身頃部１４Ｒの裏側にそれぞれ重ねて縫い付けられている。また、スライダ４の胴部４１には引手４２が取り付けられている。
【００２０】
左身頃部１４Ｌに取り付けられたファスナチェーン３１Ｌのエレメント列３２Ｌの上端部には、スライダ４の胴部４１を通り抜ける形状の蝶棒３３が取り付けられている。また、右身頃部１４Ｒに取り付けられたファスナチェーン３１Ｒのエレメント列３２Ｒの上端部には、スライダ４の胴部４１を通り抜けない形状の箱棒３４が取り付けられている。
【００２１】
図２に示したように、逆開式のスライドファスナ２０にはスライダ４が２個、装着されるが、図３および図４には、下側のスライダ４は図示していない。上側のスライダ４は、胴部４１の尻側（エレメント列３２同士を噛合させる側）を下向きにしてファスナチェーン３１に装着される。このスライダ４を上端部まで引き上げると襟元部１１が閉じ、スライダ４を下ろすと襟元部１１が開いて、両ファスナチェーン３１の上端部にそれぞれ取り付けられた蝶棒３３および箱棒３４が露出することになる。
【００２２】
本願が開示する発明の要部は、図３に示すように、箱棒３４を有する側のファスナチェーン３１Ｒの端部に、箱棒３４の表裏両面を覆うカバー部材５が取り付けられている点にある。カバー部材５は、一枚の柔軟な布体またはシート片を用いて形成される。例示のカバー部材は、例えば介護用衣服１の本体と同じ生地を表裏２枚重ね、その周縁部を縫合した布体によって形成されている。カバー部材５は、一対のファスナチェーン３１を閉じ合わせた幅よりも幅広の縦長形状をなし、片側の長辺が略直線状で、他側の長辺が略円弧状に形成されている。このカバー部材５が、長手方向の中間付近で折り返され、その折返しラインがファスナチェーン３１Ｒの延長先に配置されて、該ファスナチェーン３１Ｒの端部を覆うように、右身頃部１４Ｒの表裏両面に重ねられる。そして、折返しライン５１に交差する略直線上の縁部５２が、ファスナチェーン３１Ｒと右身頃部１４Ｒとの縫合ラインに沿って、右身頃部１４Ｒの表裏両面に縫合される。
【００２３】
より詳細には、カバー部材５の折返しライン５１が右身頃部１４Ｒの端部よりもファスナチェーン３１の延長先へ数ミリ程度、はみ出すように配置されており、そのはみ出し部分は右身頃部１４Ｒに対して縫合されない縫い残し部５３となっている。また、折返しライン５１によって折り返されたカバー部材５のファスナチェーン３１Ｒに沿う長さは、箱棒３４の長さの少なくとも２倍以上、かつ、スライダ４を引手４２も含めて完全に覆うことのできる長さ（図４参照）であり、表側部分よりも裏側部分のほうが若干、長くなっている。
【００２４】
こうして介護用衣服１の右身頃部１４Ｒに取り付けられたカバー部材５は、スライドファスナ２０の開閉状態にかかわらず常に、ファスナチェーン３１Ｒの端部に取り付けられた箱棒３４を表裏両面から包囲する。したがって、スライドファスナ２０を開いたまま洗濯しても、箱棒３４の先端部に形成された突起部３５が洗濯物や洗濯槽等を損傷するのを防ぐことができる。
【００２５】
折返しライン５１によって折り返されたカバー部材５は、左身頃部１４Ｌ側に向かって半分開いた袋状になっているので、図４に示すように、スライダ４の胴部４１に左身頃部１４Ｌ側の蝶棒３３（図２参照）を挿脱したり、スライダ４を引き上げてファスナチェーン３１同士を閉じ合わせたりする際にも、それらの操作を妨げない。折返しライン５１と、それに交差して右身頃部１４Ｒの表裏両面に縫合された略直線状の縁部５２とは、半分開いた袋状の形態を好適に保型する。カバー部材５の折返しライン５１に近接する箇所は右身頃部１４Ｒよりもはみ出した縫い残し部５３になっていて、ファスナチェーン３１の上端部とカバー部材５の折返しライン５１との間に数ミリ以上のクリアランスが設けられるので、スライダ４をファスナチェーン３１に着脱したり、不具合の生じたスライダ４を交換したりする作業も、無理なく行うことができる。また、カバー部材５やファスナチェーン３１を介護用衣服１から取り外して交換する必要が生じた場合は、カバー部材５の縫い残し部５３にハサミを入れることで、それらの縫合箇所を容易にほどくことができる。
【００２６】
このカバー部材５は、逆開式のスライドファスナ２０における反対側の端部、つまり例示の介護用衣服１にあっては、襟元部１１だけでなく、右脚の裾部１２にも取り付けることができる。右脚の裾部１２から左脚の裾部１３に至る内股開閉箇所に取り付けられたスライドファスナについても同様である。それらの各部位（図１中の一重丸囲み部分）において、カバー部材５の裏側部分は、スライドファスナ２０の端部に取り付けられる金属部品等が身体に接触する際の圧迫感や痛感を緩和する作用もなす。
【００２７】
図５〜図６は、前述した介護用衣服１の襟元部１１に取り付けられるカバー部材５の他の実施形態を示している。例示のカバー部材５は、右身頃部１４Ｒに取り付けられたファスナチェーン３１Ｒの端部を表裏両面から覆う構成については前述の実施形態と同じであるが、カバー部材５の表側部分に、襟元部１１の開閉箇所をまたいで左身頃部１４Ｌの方まで張り出すフラップ５４が設けられている。このフラップ５４は、スライドファスナ２０を閉じたときの閉止端部の幅よりも十分に広い幅を有して、スライドファスナ２０の閉止端部を、スライダ４の引手４２まで含めて表側から大きく覆うように設けられる。フラップ５４が張り出した側の反対側の縁部５２は、ファスナチェーン３１Ｒと右身頃部１４Ｒとの縫合ラインに沿って、その縫合ラインよりもやや右身頃部１４Ｒの内側寄りに縫合されている。このように、ファスナチェーン３１Ｒの縫合ラインと、カバー部材５の縁部５２の縫合ラインとを数ｍｍ〜十数ｍｍ離すことで、ファスナチェーンの縫い付けや交換修理等が容易になる。
【００２８】
フラップ５４の裏面は、ロック付きのスナップボタン６等の係着手段を介して、左身頃部１４Ｌの表面に留め付けられる。ロック付きのスナップボタン６は、略円形の雄部材６１と雌部材６２とを重ねて嵌合させる金属製または樹脂製の留め具で、例えば前述の特許文献１に記載された「プッシュスナップ部品」と同様の構成を具備する。雄部材６１または雌部材６２の一方に板バネ等を利用したロック機構が組み込まれ、該部材の中央を押し込むなどして板バネ等を変形させると、板バネ等が相手側部材に係合して、雄部材６１と雌部材６２とが容易には外れなくなる。スライドファスナ２０の閉止端部を覆うフラップ５４を、このようなロック付きのスナップボタン６で介護用衣服１に留め付けると、例えば認知症の利用者等による不適切な開閉操作を防ぎやすくなる。
【００２９】
なお、本願が開示する発明の技術的範囲は、例示した実施の形態によって限定的に解釈されるべきものではなく、特許請求の範囲の記載に基づいて概念的に解釈されるべきものである。本願が開示する発明の実施に際しては、特許請求の範囲において具体的に特定していない部材・部品の形状や構造、位置関係、接合形態等を、例示形態と実質的に同様の作用効果が得られる範囲内で適宜、改変して実施することができる。
【００３０】
具体的には、本願が開示する発明は、例示した介護用衣服だけでなく、スライドファスナが取り付けられて洗濯される可能性がある衣服や肌着等の衣類全般に適用可能である。そのスライドファスナの構造も、例示した逆開ダブルファスナに限定されるものではなく、少なくとも一部分を開いたときに箱棒が露出するタイプのものであればよい。スライドファスナが設けられる位置は、衣類のどの部位であってもよいし、蝶棒と箱棒との取付位置も、例示形態と同じである必要はない。
【００３１】
カバー部材の材質は、布体に代えて、例えば軟質合成樹脂や合成皮革等からなるシート片を利用するものであってもよい。正面から見たカバー部材の形状は、例えば意匠性等を考慮して適宜、変形されてもよい。カバー部材を衣類に縫い付ける位置や、その縫い方は、衣類およびスライドファスナの形態や使い勝手等を考慮して、適宜、調整されればよい。カバー部材に形成したフラップの係着手段についても、公知のストラップ部材や施錠部品等を適宜利用することができる。
【００３２】
さらに、本願が開示する発明は、衣類だけでなく、同じような形態のスライドファスナが取り付けられる布製のバッグ類、寝装品（例えば布団カバーや枕カバー等）、インテリア用品（例えばクッション、家具カバー等）、日用品（例えば洗濯ネット、リネンバッグ、収納バッグ等）、レジャー用品（例えばテント、雨具、シュラフ等）、ペット用品（例えばペット用衣服、キャリーケース等）、自転車・自動車用品（例えばシートカバー等）等を含む縫製品全般にも適用可能である。
【産業上の利用可能性】
【００３３】
本願が開示する発明は、スライドファスナが取り付けられる衣類全般のほか、同様のスライドファスナが取り付けられる様々な縫製品に幅広く利用することができる。
【符号の説明】
【００３４】
１  介護用衣服（縫製品）
１１  襟元部
１２  右脚の裾部
１３  左脚の裾部
１４Ｒ  右身頃部
１４Ｌ  左身頃部
２  スライドファスナ
２０  スライドファスナ
３１（３１Ｒ、３１Ｌ）  ファスナチェーン
３２（３２Ｒ、３３Ｌ）  エレメント列
３３  蝶棒
３４  箱棒
３５  突起部
３６  ファスナテープ
４（４Ａ、４Ｂ）  スライダ
４１  胴部
４２  引手
５  カバー部材
５１  折返しライン
５２  略直線状の縁部
５３  縫い残し部
５４  フラップ
６  スナップボタン
６１  雄部材
６２  雌部材
【図１】
2020028320.tif 000003
【図２】
2020028320.tif 000004
【図３】
2020028320.tif 000005
【図４】
2020028320.tif 000006
【図５】
2020028320.tif 000007
【図６】
2020028320.tif 000008
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
一対のファスナチェーンがスライダによって開閉され、少なくとも一方の端部を開くと、開かれたファスナチェーンの端部に箱棒が露出するスライドファスナを備えた縫製品において、
前記箱棒を有する側のファスナチェーンの端部に、前記ファスナチェーンが開いた状態で前記箱棒の表裏両面を覆うカバー部材が取り付けられ、
前記カバー部材は、一枚の布体またはシート片を前記ファスナチェーンの延長先で折り返し、その折返しラインに交差する片側の縁部を、前記箱棒を有する側のファスナチェーンと当該縫製品本体との縫合ラインに沿って、当該縫製品の表裏両面に縫合してなる
ことを特徴とするスライドファスナ付き縫製品。
【請求項２】
請求項１に記載されたスライドファスナ付き縫製品において、
前記カバー部材の折返しラインに近接する部分は、当該縫製品本体の端部よりも前記ファスナチェーンの延長先へはみ出し、そのはみ出し部分は当該縫製品本体に縫合されていない縫い残し部となされている
ことを特徴とするスライドファスナ付き縫製品。
【請求項３】
請求項１または２に記載されたスライドファスナ付き縫製品において、
前記カバー部材の表側部分に、前記スライドファスナの閉止端部より広い幅のフラップが延設され、前記フラップが当該縫製品本体の開閉箇所をまたいで相手側部分まで張り出し、前記相手側部分の表面にロック付きの係着手段を介して着脱自在に留め付けられる
ことを特徴とするスライドファスナ付き縫製品。